(57)【要約】     【課題】光硬化材料を硬化させるための光照射の際に照射対象物の温度上昇を抑えることが可能な光源装置を提供する。    【解決手段】本発明の光源装置は、光硬化性材料の有効硬化波長に応じた発光ピークを有する発光ダイオード３を複数備え、これら複数の発光ダイオード３により照射対象物に対して光を照射するための光源装置であって、複数の発光ダイオード３が、照射対象物の近傍において当該照射対象物の照射対象領域７に応じて配置されるように構成されている。本発明では、複数の発光ダイオード３が、照射対象物の照射対象領域７に沿って枠状に配列されている。【選択図】  図１
2007334039.tif 000002
【特許請求の範囲】
【請求項１】
光硬化性材料の有効硬化波長に応じた発光ピークを有する発光素子を複数備え、当該複数の発光素子により照射対象物に対して光を照射するための光源装置であって、
前記複数の発光素子が、前記照射対象物の近傍において当該照射対象物の照射対象領域に応じて配置されるように構成されている光源装置。
【請求項２】
前記複数の発光素子が、前記照射対象物の照射対象領域に沿って列状に配置されている請求項１記載の光源装置。
【請求項３】
前記複数の発光素子が、前記照射対象物の照射対象領域に沿って枠状に配列されている請求項１記載の光源装置。
【請求項４】
前記複数の発光素子が、前記照射対象物に対し、前記照射対象物の照射対象領域に応じて移動するように構成されている請求項１乃至３のいずれか１項記載の光源装置。
【請求項５】
前記複数の発光素子が、それぞれ独立して動作可能に構成されている請求項１乃至４のいずれか１項記載の光源装置。
【請求項６】
前記複数の発光素子が、発光ダイオードから構成されている請求項１乃至５のいずれか１項記載の光源装置。
【請求項７】
請求項１乃至６のいずれか１項記載の光源装置を用いた基板の貼り合わせ方法であって、
一対の基板間の照射対象領域に光硬化性材料を配置した照射対象物を用意し、
前記光源装置の複数の発光素子を、前記照射対象物の近傍において当該照射対象物の前記照射対象領域に応じて配置し、
前記照射対象物を介して前記光硬化性材料に対して光の照射を行う工程を有する基板の貼り合わせ方法。
【請求項８】
前記光硬化性材料の特定の部分の光の照射量が例の部分に比べて相対的に多くなるように光を照射する工程を有する請求項７記載の基板の貼り合わせ方法。
【請求項９】
前記光硬化性材料の特定の部分にのみ光を照射する工程を有する請求項７又は８のいずれか１項記載の基板の貼り合わせ方法。
【請求項１０】
前記光硬化性材料の特定の部分を始点として当該光硬化性材料の隣接する領域に対して順次光を照射する工程を有する請求項７乃至９のいずれか１項記載の基板の貼り合わせ方法。
【発明の詳細な説明】
【技術分野】
【０００１】
本発明は、例えば、液晶表示装置（ＬＣＤ）、有機ＥＬ装置（ＯＬＥＤ）、プラズマディスプレイパネル（ＰＤＰ）等のフラットパネルディスプレイ（ＦＰＤ）の作製過程においてパネル内の環境管理のための封止に適用可能な光源装置の技術に関する。
【背景技術】
【０００２】
従来、例えばＰＤＰパネルの封着に際しては低融点（４５０℃以下）ガラスを用いているが、ＬＣＤやＯＬＥＤを作製する場合には、使用する光学材料の関係で温度を上げる工程は使用することができないため、紫外線硬化型の塗料もしくは樹脂を用いてパネル同士を封止するようにしている。
【０００３】
このような塗料もしくは樹脂（光硬化性材料）を硬化させるためには、一般的に放電現象を用いた光源を用い全面照射により材料を硬化させるようにしているが、このような放電現象による光源を用いた場合、光源からの熱照射により例えば有機ＥＬ材料や液晶材料の劣化を招きやすく、さらに従来の光源ではかなりの短波長の紫外線も同時に照射されるためパネル材料への紫外線劣化も引き起こすという問題がある。
【０００４】
その一方、ＰＤＰの封止においても低融点ガラスを用いずに、樹脂封止ができれば、温度上昇における時間が省け生産性が向上するとともにパネル加熱のプロセスが省け省エネ化にもつながると期待される。
【０００５】
従来、紫外線硬化型の塗料および樹脂用の光源としては、放電ランプが一般的に用いられている。
例えば、現在のＬＣＤ製造ラインでは、光源としてキセノンランプを用い、封止材及び液晶材料を配置した一対のフラットパネルに対しマスクを介して全面照射を行い封止を行っている。
【０００６】
しかし、放電現象による光源を用いているためこれが熱源となり、照射対象物の温度上昇を招きパネルの発光構成材料へのダメージが問題となる。したがって、フラットパネルへの照射による温度上昇を抑える必要がある。
【０００７】
また放電現象による光源は、硬化に必要な発光波長の光以外にも、より短波長の紫外線が発生しており、この紫外線によりディスプレイ材料に対してダメージを与えることになる。また、このような短波長の光は、作業者の身体に対しても有害なものとなる。
【０００８】
さらに、このような放電現象を用いる紫外線硬化用の光源は、光源装置の小型化が困難である。
現状では比較的に細い放電管を用い小型化が図られているが（例えば、特許文献１参照。）、このような従来技術では、光源装置としての小型化が困難であり、また上述した必要波長光以外の短波長光の発生も不可避である。
【特許文献１】特開２００１−１５０６４号公報
【発明の開示】
【発明が解決しようとする課題】
【０００９】
本発明は、このような従来の技術の課題を考慮してなされたもので、その目的とするところは、光硬化材料を硬化させるための光照射の際に照射対象物の温度上昇を抑えることが可能な光源装置を提供することにある。
【００１０】
また、本発明の他の目的は、光硬化材料の硬化に必要のない短波長の紫外線の発生がなく、照射対象物に対してダメージを与えず、また作業者の身体に対しても害とならない光源装置を提供することにある。
また、本発明の他の目的は、発光時の投入電力の小さい小型の光源装置を提供することにある。
【課題を解決するための手段】
【００１１】
上記目的を達成するためになされた請求項１記載の発明は、光硬化性材料の有効硬化波長に応じた発光ピークを有する発光素子を複数備え、当該複数の発光素子により照射対象物に対して光を照射するための光源装置であって、前記複数の発光素子が、前記照射対象物の近傍において当該照射対象物の照射対象領域に応じて配置されるように構成されている光源装置である。
請求項２記載の発明は、請求項１記載の発明において、前記複数の発光素子が、前記照射対象物の照射対象領域に沿って列状に配置されているものである。
請求項３記載の発明は、請求項１記載の発明において、前記複数の発光素子が、前記照射対象物の照射対象領域に沿って枠状に配列されているものである。
請求項４記載の発明は、請求項１乃至３のいずれか１項記載の発明において、前記複数の発光素子が、前記照射対象物に対し、前記照射対象物の照射対象領域に応じて移動するように構成されているものである。
請求項５記載の発明は、請求項１乃至４のいずれか１項記載の発明において、前記複数の発光素子が、それぞれ独立して動作可能に構成されているものである。
請求項６記載の発明は、請求項１乃至５のいずれか１項記載の発明において、前記複数の発光素子が、発光ダイオードから構成されているものである。
請求項７記載の発明は、請求項１乃至６のいずれか１項記載の光源装置を用いた基板の貼り合わせ方法であって、一対の基板間の照射対象領域に光硬化性材料を配置した照射対象物を用意し、前記光源装置の複数の発光素子を、前記照射対象物の近傍において当該照射対象物の前記照射対象領域に応じて配置し、前記照射対象物を介して前記光硬化性材料に対して光の照射を行う工程を有する基板の貼り合わせ方法である。
請求項８記載の発明は、請求項７記載の発明において、前記光硬化性材料の特定の部分の光の照射量が例の部分に比べて相対的に多くなるように光を照射する工程を有するものである。
請求項９記載の発明は、請求項７又は８のいずれか１項記載の発明において、前記光硬化性材料の特定の部分にのみ光を照射する工程を有するものである。
請求項１０記載の発明は、請求項７乃至９のいずれか１項記載の発明において、前記光硬化性材料の特定の部分を始点として当該光硬化性材料の隣接する領域に対して順次光を照射する工程を有するものである。
【００１２】
本発明装置の場合、光硬化性材料の有効硬化波長に応じた発光ピークを有する複数の発光素子が、照射対象物の近傍において当該照射対象物の照射対象領域に応じて配置されるように構成されていることから、目的とする照射対象領域に対して効率良く光を照射して光硬化性材料を硬化させることができる。
【００１３】
また、従来の硬化用光源は放電現象を用いていたため光源そのものが大きく、限られた部位への照射が困難なためこの光を照射すると対象試料の温度上昇を招くが、本発明では、例えば発光ダイオードのような発光素子を用いており光源が小さいため限られた領域のみの照射が可能であり、照射領域を規制するためのマスクも不要になる。
【００１４】
さらに、このような発光素子は冷光源であるためパネル等の照射対象物の温度上昇が発生せずこれを劣化させることもなく、しかも、発光時の投入電力の小さい光源装置を提供することができる。
【００１５】
さらに、本発明においては、目的とする照射対象領域にのみ、光硬化性材料の有効硬化波長に応じた発光ピークを有する光を集中して照射することができるので、短波長の光による問題が生ずることがない。したがって、パネル材料への紫外線によるダメージを回避することができ、また、人体への有害紫外線を考慮する必要も無い。
【００１６】
本発明において、複数の発光素子が、列状に配置されている場合には、照射対象物上に列状に配置された光硬化性材料に対して幅狭の光を効率良く照射して硬化させることができる。
【００１７】
本発明において、複数の発光素子が、枠状に配列されている場合には、照射対象物上に枠状に配置された光硬化性材料に対して効率良く光を照射して硬化させることができ、特に、一対のフラットパネルの貼り合わせ（封止）を容易に行うことができる。
【００１８】
本発明において、複数の発光素子が、照射対象物に対し、照射対象物の照射対象領域に応じて移動するように構成されている場合には、照射対象物上の種々のパターンの光硬化性材料に対して最適の効率で光を照射して硬化させることができる。
【００１９】
本発明において、複数の発光素子が、それぞれ独立して動作可能に構成されている場合には、任意の発光素子を点灯させることによって照射対象物上の光硬化性材料の任意の部分を硬化させることができる。
【００２０】
本発明方法の場合、上述した光源装置を用い、一対の基板間の照射対象領域に光硬化性材料を配置した照射対象物を用意し、光源装置の複数の発光素子を、照射対象物の近傍において当該照射対象物の前記照射対象領域に応じて配置し、照射対象物を介して光硬化性材料に対して光の照射を行うことから、一対の基板の貼り合わせ（封止）を容易に効率良く行うことができる。
【００２１】
本発明において、光硬化性材料の特定の部分の光の照射量が例の部分に比べて相対的に多くなるように光を照射すれば、光硬化性材料の硬化しにくい部分を他の部分と同様に均一に硬化させることができる。
本発明において、光硬化性材料の特定の部分にのみ光を照射すれば、光硬化性材料を部分的に硬化させて例えば基板の仮止め等を行うことができる。
【００２２】
本発明において、光硬化性材料の特定の部分を始点として、隣接する領域に対して順次光を照射するようにすれば、貼り合わせ工程の種々の条件に応じて光硬化性材料を硬化させることができるとともに、光硬化性材料硬化時の応力の集中を低減することが可能になる。
【発明の効果】
【００２３】
本発明によれば、光硬化材料を硬化させるための光照射の際に照射対象物の温度上昇を抑えることが可能な光源装置を提供することができる。
また、本発明によれば、光硬化材料の硬化に必要のない短波長の紫外線の発生がなく、照射対象物に対してダメージを与えず、また作業者の身体に対しても害とならない光源装置を提供することができる。
また、本発明によれば、発光時の投入電力の小さい小型の光源装置を提供することができる。
【発明を実施するための最良の形態】
【００２４】
以下、本発明の好ましい実施の形態を図面を参照して詳細に説明する。
図１は、本発明に係る光源装置の全体を示す概略平面構成図、図２は、同光源装置の要部を示す断面図である。
図３（ａ）（ｂ）は、本発明に用いることができる発光ダイオードの発光特性を示すグラフである。
また、図４（ａ）は、本実施の形態を用いた封止方法の例を示す説明図、図４（ｂ）は、図４（ａ）のＡ−Ａ線断面図、図５（ａ）は、本実施の形態を用いた封止方法の他の例を示す説明図、図５（ｂ）は、図５（ａ）のＢ−Ｂ線断面図である。
【００２５】
図１及び図２に示すように、本実施の形態の光源装置１は、例えば断面Ｕ字で、全体が矩形枠形状の収容容器２を有し、この収容容器２内に、複数の発光素子として発光ダイオード３が、例えば一定の間隔をおいて列状に配列されている。なお、各発光ダイオード３は、図示しない制御回路に接続されオン・オフ等が制御される。この場合、各発光ダイオード３について、独立してオン・オフ等を制御するように構成することもできる。
【００２６】
本発明の場合、発光素子としては、光硬化性材料（紫外線硬化塗料又は樹脂）の有効硬化波長に応じた発光ピークを有するもの、例えば、次のようなものを用いることができる。
一般に、信号機等で用いられているＧａＮ発光ダイオード（ＧａＮ−ＬＥＤ）は、視認性をよくするため、発光センターとして金属不純物をドーピングしており、その発光スペクトルは、図３（ａ）に示すように、４２０ｎｍ近傍と４７５ｎｍ近傍にピークを持つ発光特性を示す。
【００２７】
この素子の場合、発光は４２０ｎｍに最大ピークを示し、発光スペクトルは鋭く、紫外域の発光は観察されない。
なお、これらの発光特性は、発光中心ドーピング不純物の種類やドーピング量によっても若干異なるものである。
【００２８】
一方、発光センター不純物をドーピングしないＧａＮ発光ダイオードの発光スペクトルは、図３（ｂ）に示すように、３６０ｎｍにピークを持つ発光となり、この場合も鋭い発光スペクトルとなる。そして、これより短波長の紫外域の発光は観察されない。
【００２９】
本発明においては、発光素子として、３６０ｎｍ〜４２０ｎｍに発光ピークを持つ発光ダイオードを好適に用いることができる。この場合、発光ピークは複数存在していてもよく、また、４２０ｎｍより大きな波長のピークを併せ持つ発光ダイオードを用いることもできる。したがって、上述したいずれのＧａＮ発光ダイオードを発光素子として用いることができる。
【００３０】
さらに、本発明の場合、発光素子として、４００ｎｍ近傍にピークを有するＳｉＣ発光ダイオード（ＳｉＣ−ＬＥＤ）や、ＺｎＯを主体とする発光ダイオードを用いることもできる。
本発明の場合、特に限定されることはないが、発光効率及びコスト抑制の観点からは、４２０ｎｍに発光のピークを有するＧａＮ発光ダイオードを用いることが好ましい。
【００３１】
図１に示すように、本実施の形態の場合、光源装置１の収容容器２は、照射対象領域７（封止材１１）とほぼ同等の大きさに形成され、これにより複数の発光ダイオード３が、照射対象領域７に対応して配列されるように構成されている。
【００３２】
図２に示すように、この収容容器２は、断面凹部曲面状の空間状の収容部４が形成され、その曲面の奥まったほぼ焦点（頂点）の位置に、各発光ダイオード３が取り付けられている。
【００３３】
本発明の場合、収容容器２としては、例えば、４５０ｎｍ以下の光に対して反射率が高い材料である、アルミニウム（Ａｌ）合金もしくはチタン（Ｔｉ）合金からなり収容容器２の内面２ａが鏡面研磨されたものを用いることができる。
【００３４】
また、発光ダイオード３の総使用量の重量は多くなくさほど強度も要求されないので、収容容器２としては金型成型が容易なプラスチック（ポリカーボネート等）からなるものを用いることもできる。
【００３５】
この場合には、収容容器２の内面２ａに、上記アルミニウム等による４５０ｎｍ以下の光に対する高反射率被膜を施すとよい。
また、収容容器２の収容部４の発光ダイオード３の近傍には、集光用のレンズ５が配設されている。
【００３６】
本発明の場合、特に限定されることはないが、収容部４内の温度上昇を効率良く下げる観点からは、冷却した空気を収容部４内に流すように構成することが好ましく、また、収容容器２の開口部分に、照射する光を透過する材料（プラスチックやガラス）からなるの蓋６を設けるとより効果的である。
なお、具体的には、例えば、直径５ｍｍφの発光ダイオード３を用いた場合に収容容器２の開口部分は１０ｍｍ程度に設定することができる。
【００３７】
本実施の形態の光源装置は、例えば、液晶表示装置の封止材を硬化させる場合に用いられる。
この場合、例えば、図４（ａ）（ｂ）に示すように、第１基板１０上に塗布した矩形枠状の複数の封止材（光硬化材料）１１の内側の領域に液晶材料１２を塗布し第１基板１０に対して対応する第２基板２０を貼り合わせた後封止材１１の仮止めを行った照射対象物８を用意する。
【００３８】
そして、封止材１１の形状に対応するスリット部３１を有するマスク３０を、照射対象物８の近傍に位置決め配置し、さらにこのマスク３０の近傍に本発明に係る光源装置１を配置する。
この場合、光源装置１としては、マスク３０の各スリット部３１、すなわち、第１及び第２基板１０間の封止材１１の上方に発光ダイオード３を配列するように構成されたものを用い、各発光ダイオード３を点灯させることによって封止材１１の硬化を行う。
【００３９】
以上述べたように本実施の形態の光源装置１によれば、光硬化性材料の有効硬化波長に応じた発光ピークを有する複数の発光ダイオード３が、照射対象物８の近傍において当該照射対象物８の照射対象領域７に応じて配置されるように構成されていることから、目的とする照射対象領域７に対して効率良く光を照射して光硬化性材料を硬化させることができる。
【００４０】
また、従来の硬化用光源は放電現象を用いていたため光源そのものが大きく、限られた部位への照射が困難なためこの光を照射すると照射対象物の温度上昇を招くが、本実施の形態では、発光ダイオード３を用いており光源が小さいため限られた幅狭の封止材１１領域のみの照射が可能である。
【００４１】
特に本実施の形態においては、複数の発光ダイオード３が、封止材１１に対応して枠状に配列されており、第１及び第２基板１０、２０間に配置された枠状の封止材１１に対して効率良く光を照射して硬化させることができ、これにより第１及び第２基板１０、２０の貼り合わせ（封止）を確実に行うことができる。
そして、このような本実施の形態によれば、図５（ａ）（ｂ）に示すように、マスクを用いることなく封止材１１領域のみの照射が可能になる。
【００４２】
さらに、本実施の形態によれば、発光のための投入電力が小さく、かつ、寿命の長い小型の光源装置１を提供することができる。
具体的には、例えば、４０ｃｍ角のパネルの周辺の封止材を硬化させる場合、従来の放電を用いたランプでは１，０００Ｗ程度が必要となるが、本発明に係る発光素子を用いた光源装置の場合、例えば、１ｃｍ間隔で上述したように発光ダイオードを矩形枠状に並べた光源装置を例にとると、発光ダイオードの１個当たりの駆動電圧と４Ｖとすれば６．５Ｗ程度となり、放電光源に比べ投入電力が低く、照射対象物に対して熱的なダメージを与えない冷光源となる。
【００４３】
また、光源としての寿命も放電ランプに比べて長く、投入電力量が少なくて済み、省エネルギー効果も大きい。ここで用いる発光ダイオードの光度の例としては、ピーク波長３６０ｎｍ用が２，０００ｍｃｄ／個、同４２０ｎｍ用が４，０００ｍｃｄである。
【００４４】
さらに、上記図２に示したように、収容容器２の開口部分に蓋６を設け、冷却した空気を収容部４内に流すように構成すれば、光源装置１による温度上昇の影響をより低減することができる。
さらに、本実施の形態においては、目的とする照射対象領域７にのみ、光硬化性材料の有効硬化波長に応じた発光ピークを有する光を集中して照射することができるので、短波長の光（紫外線）による問題が生ずることがない。したがって、パネル材料への紫外線によるダメージを回避することができ、また、人体への有害紫外線を考慮する必要も無い。
【００４５】
図６は、本発明に係る光源装置の他の実施の形態の平面構成図であり、以下、上記実施の形態と対応する部分には同一の符号を付しその詳細な説明を省略する。
【００４６】
本実施の形態の場合は、長尺の直線状の複数の光源装置を組み合わせて構成されたもので、例えば、Ｘ軸方向に延びるように並べられた複数（本実施の形態の場合は４本）の第１光源装置１ｘと、Ｙ軸方向に延びるように並べられた複数（本実施の形態の場合は４本）の第２光源装置１ｙとが、交差するように配置されている。
【００４７】
ここで、第１及び第２光源装置１ｘ、１ｙは、ともに上述した収容容器２内に複数の発光ダイオード３を直線状に配列してなるものである。
そして、第１光源装置１ｘは、Ｙ軸方向に移動可能に構成され、第２光源装置１ｙは、Ｘ軸方向に移動可能に構成されている。
【００４８】
本実施の形態において、上述した矩形枠状の封止材１１を硬化させる場合には、第１光源装置１ｘを封止材１１のＹ軸方向部分上に配置するとともに、第２光源装置１ｙを封止材１１のＸ軸方向部分上に配置する。
そして、第１及び第２光源装置１ｘ、１ｙの各発光ダイオード３を点灯させることによって封止材１１の硬化を行う。
【００４９】
このような構成を有する本実施の形態によれば、上記実施の形態と同様の効果に加えて、封止材１１の位置、大きさ、形状等に応じて最適の効率で光を照射して硬化させることができる。その他の構成及び作用効果については上述の実施の形態と同一であるのでその詳細な説明を省略する。
【００５０】
図７は、図６に示す実施の形態の変形例を示すものである。
本例においては、第１及び第２光源装置１ｘ、１ｙの各発光ダイオード３が、独立してオン・オフ等を制御するように構成されているものである。
本例では、封止材１１の硬化の際に、第１及び第２光源装置１ｘ、１ｙの発光ダイオード３のうち、封止材１１に対応する領域の発光ダイオード３ａのみを点灯させるように制御する。
【００５１】
このような構成を有する本例によれば、投入電力を減少させることができるとともにより発熱を抑えることが可能になる。その他の構成及び作用効果については上述の実施の形態と同一であるのでその詳細な説明を省略する。
【００５２】
図８及び図９は、本発明に係る光源装置の使用方法の他の例を示す説明図である。
例えば、照射対象領域７の光硬化材料の角部のような他の部分に比べて硬化しにくい部分に対しては、図８に示すように、照射対象領域７の外側に位置する発光ダイオード３ｂを併せて点灯させるように制御するとよい。
このような制御を行い光の照射量を増加させることにより、光硬化性材料の硬化しにくい部分を他の部分と同様に均一に硬化させることができる。
【００５３】
また、各発光ダイオード３を独立してオン・オフ等を制御するように構成しておく場合には、各発光ダイオード３の点灯のタイミングをずらすことも可能である。
例えば、図９の符号４０、４１で示すように、照射対象領域７の辺の中央部から角部に向って順次発光ダイオード３を点灯させたり、逆に、図９の符号４２、４３で示すように、照射対象領域７の角部から中央部に向って順次発光ダイオード３を点灯させることも可能である。
【００５４】
さらに、図９の符号４４で示すように、例えば、照射対象領域７に沿って時計回り方向（又は反時計回り方向）に順次発光ダイオード３を点灯させることも可能である。
【００５５】
このような本実施の形態によれば、貼り合わせ工程の種々の条件に応じて光硬化性材料を硬化させることができるとともに、光硬化性材料硬化時の応力の集中を低減することが可能になる。
【００５６】
なお、本発明は上述の実施の形態に限られることなく、種々の変更を行うことができる。
例えば、上述した実施の形態では、発光ダイオードを収容容器の収容部内において、１列に配列した例を説明したが、本発明はこれに限られず、同収容部内において発光ダイオードを複数配列することもできる。
【００５７】
図１０は、発光ダイオードを２列に並べた例を示すものであり、この場合、図１１（ａ）（ｂ）に示すように、発光ダイオード３同士を横方向に整列させて並べることもでき、千鳥足状に並べることもできる。
また、図１１（ｃ）に示すように、収容容器２の収容部４内において、発光ダイオード３を３列に並べることもできる。
【００５８】
このような発光ダイオードの複数配列は、照射対象領域の全域にわたっていてもよいし、例えば、光硬化材料の硬化しにくい部分のみ発光ダイオードを複数列配列することもできる。
さらに、発光素子としては、発光ピークが同一の発光ダイオードを用いることもできるし、異なる発光ピークを有する発光ダイオードを混在させることもできる。
【００５９】
さらにまた、収容容器の形状及び発光素子の配列は照射対象領域に応じて適宜変更することができる。
加えて、本発明は、液晶表示装置、有機ＥＬ装置、プラズマディスプレイパネル等の種々のフラットパネルディスプレイに好適であるが、それ以外の光硬化性材料を硬化させるための光源装置としても利用することができるものである。
【図面の簡単な説明】
【００６０】
【図１】本発明に係る光源装置の実施の形態の全体を示す概略平面構成図
【図２】同光源装置の要部を示す断面図
【図３】（ａ）（ｂ）：本発明に用いる発光ダイオードの発光特性を示すグラフ
【図４】（ａ）：本発明の実施の形態を用いた封止方法の例を示す説明図  （ｂ）：図４（ａ）のＡ−Ａ線断面図
【図５】（ａ）：同実施の形態を用いた封止方法の他の例を示す説明図  （ｂ）：図５（ａ）のＢ−Ｂ線断面図
【図６】本発明に係る光源装置の他の実施の形態の平面構成図
【図７】図６に示す実施の形態の変形例を示す図
【図８】本発明に係る光源装置の使用方法の他の例を示す説明図
【図９】本発明に係る光源装置の使用方法の他の例を示す説明図
【図１０】本発明における発光素子の他の配置例を示す断面構成図
【図１１】（ａ）〜（ｃ）：本発明における発光素子の他の配置例を示す平面図
【符号の説明】
【００６１】
１…光源装置  ２…収容容器  ３…発光ダイオード（発光素子）  ４…収容部  ７…照射対象領域  １１…封止材（光硬化材料）
【図１】
2007334039.tif 000003
【図２】
2007334039.tif 000004
【図３】
2007334039.tif 000005
【図４】
2007334039.tif 000006
【図５】
2007334039.tif 000007
【図６】
2007334039.tif 000008
【図７】
2007334039.tif 000009
【図８】
2007334039.tif 000010
【図９】
2007334039.tif 000011
【図１０】
2007334039.tif 000012
【図１１】
2007334039.tif 000013